(57)【特許請求の範囲】
【請求項１】
電気構造部材を収容するケーシング、特に回路ボックスのための、扉枠（１０）を有する扉であって、扉枠（１０）は、２つの互いに平行に間隔をおいて配置された、垂直方向の枠成形部（１１）を有しており、垂直方向の枠成形部（１１）は、長手方向の端部において、水平方向の横支え（２０）により互いに結合されており、垂直方向の枠成形部及び／または横支えに、扉の外側において、垂直方向及び／または水平方向のカバー成形部が取り付けられており、垂直方向の枠成形部（１１）は、少なくとも１つの被覆プレート（３０）を挿入可能な収容部を有していて、被覆プレート（３０）は、扉枠（１０）により取囲まれる充填範囲を少なくとも部分的に被覆している形式において、垂直方向の枠成形部（１１）の前記収容部は、溝（１４）として構成されており、これらの溝（１４）内には、被覆プレート（３０）の縁部（３１）が保持されており、垂直方向の枠成形部（１１）は、支持面（１３）を有しており、支持面〔１３〕内には、少なくとも１つの、枠成形部の長手方向に延びる固定溝（１２）が形成されており、垂直方向のカバー成形部（５０）は、固定溝（１２）内に係止される係止ウエブ（５３）を有しており、前記横支え（２０）は、長手方向の端部に、付加部（２２）を有しており、付加部（２２）は、それぞれ少なくとも１つの差込付加部（２３）を有しており、差込付加部（２３）は、垂直方向の枠成形部（１１）の差込収容部内に固定されていることを特徴とする電気構造部材を収容するケーシングのための扉。
【請求項２】
垂直方向の枠成形部（１１）の長手方向に延びる、被覆プレート（３０）のための収容範囲の延長部は、格子寸法の整数倍に相当し、被覆プレート（３０）は、垂直方向の枠成形部（１１）の長手方向に延びる、この格子寸法の整数倍に相当する寸法を有している請求項１記載の扉。
【請求項３】
被覆プレート（３０）は、垂直方向の枠成形部（１１）の長手方向において統一的な寸法を有している請求項２記載の扉。
【請求項４】
被覆プレート（３０）は、端面にパーホレーション（３２）を有しているかあるいは閉じたカバー部材として構成されている請求項１乃至３のいずれか１項記載の扉。
【請求項５】
横支え（２０）は、差込プレート（２１）を有しており、差込プレート（２１）は、垂直方向の枠成形部（１１）の間に配置されていてかつ縁部により、垂直方向の枠成形部（１１）の溝（１４）内に挿入されており、差込プレート（２１）は、水平方向の終端縁部を有していて、該終端縁部は、単数または複数の、端部において充填範囲内に挿入された被覆プレートの水平方向の縁部に対向している請求項１乃至４のいずれか１項記載の扉。
【請求項６】
水平方向の横支え（２０）の少なくとも１つは、収容部（４１）を備えた水平方向のカバー成形部（４０）を有していて、該収容部（４１）内には、表示部材（４２）が挿入されている請求項１乃至５のいずれか１項記載の扉。
【請求項７】
表示部材（４２）は、ディスプレイとして構成されており、水平方向のカバー成形部（４０）は、ケーブル貫通案内部を有しており、ケーブル貫通案内部は、横支え（２０）のケーブル貫通案内部（２５）に対して一列に配置されている請求項６記載の扉。
【請求項８】
横支え（２０）は外装片（付加部２２）を有していて、外装片は、垂直方向の枠成形部（１１）の端面側の端部を被覆している請求項１乃至７のいずれか１項記載の扉。
【請求項９】
垂直方向の枠成形部（１１）は、押出し成形部として構成されている請求項１乃至８のいずれか１項記載の扉。
【発明の詳細な説明】
【０００１】
【発明の属する技術分野】
本発明は、電気構造部材を収容するケーシング、特に回路ボックスのための、扉枠を有する扉であって、扉枠は、２つの互いに平行に間隔をおいて配置された、垂直方向の枠成形部を有しており、垂直方向の枠成形部は、長手方向の端部において、水平方向の横支えにより互いに結合されており、垂直方向の枠成形部及び／または横支えに、扉の外側において、垂直方向及び／または水平方向のカバー成形部が取り付けられており、垂直方向の枠成形部は、少なくとも１つの被覆プレートを挿入可能な収容部を有していて、被覆プレートは、扉枠により取囲まれる充填範囲を少なくとも部分的に被覆している形式の電気構造部材を収容するケーシングのための扉に関する。
【０００２】
【従来の技術】
この形式の扉は、ドイツ国公開特許第４２４２５８９A1号明細書から公知である。この場合、４つの、横断面の同一な枠成形部から構成される扉枠が使用されている。枠成形部は、長手方向の端部において半直角の面に切断して互いに当接させている。枠成形部の結合するために、角隅結合器が使用されている。これらの角隅結合器は、差込付加部により、枠成形部の中空室収容部内へ挿入されている。組立てられた扉枠は、前側をカバー成形部により被覆することができる。カバー成形部は、扉枠の枠成形部と共に、締付収容部を形成している。これら締付収容部内には、被覆プレートが保持されている。被覆プレートは、扉枠によって取り囲まれる充填範囲を被覆している。
【０００３】
【発明が解決しようとする課題】
本発明の課題は、充填範囲のモジュラ形式及びこの場合の簡単な構造を達成する当初に述べた形式の扉を提供することにある。
【０００４】
【課題を解決するための手段】
この課題は、垂直方向の枠成形部の収容部は、溝として構成されており、これらの溝内には、被覆プレートの縁部が保持されており、横支えは、長手方向の端部に、付加部を有しており、付加部は、それぞれ少なくとも１つの差込付加部を有しており、差込付加部は、垂直方向の枠成形部の差込収容部内に固定されていることにより解決される。
【０００５】
【発明の実施の形態】
垂直方向の枠成形部の溝内には、単数若しくは複数の被覆プレートを挿入することができる。複数の被覆プレートが使用された場合には、これらの被覆プレートは溝長手方向において積み重ねられている。このような形式で、充填範囲は、利用者の形状的及び機能的な要求と関連して構成することができる。この場合、扉は簡単な構造形式になる。横支えは、既に、垂直方向の枠成形部に連結するために必要な結合部材を有している。これにより、コストのかかる付加―結合装置の使用を回避できる。
【０００６】
本発明の有利な実施形では、垂直方向の枠成形部の長手方向に延びる、被覆プレートのための収容範囲の延長部は、格子寸法の整数倍に相当し、被覆プレートは、垂直方向の枠成形部の長手方向に延びる、この格子寸法の整数倍に相当する寸法を有している。収容範囲は、この形式で、ユニットシステムによる規格化された被覆プレートで完全に充填することができる。この場合、被覆プレートは、垂直方向の枠成形部の長手方向において統一的な寸法を有することができる。
【０００７】
被覆プレートは、ケーシングの空気調整をも考慮に入れている。このため、被覆プレートは、パーホレーションを有しているかあるいは閉じたカバー部材として構成することができる。パーホレーションを介して、大気との熱交換が可能になる。
【０００８】
本発明の可能な実施形においては、横支えは、差込プレートを有しており、差込プレートは、垂直方向の枠成形部の間に配置されていてかつ縁部により、垂直方向の枠成形部の溝内に挿入されており、差込プレートは、水平方向の終端縁部を有していて、該終端縁部は、単数または複数の、端部において充填範囲内に挿入された被覆プレートの水平方向の縁部に対向している。差込プレートは、被覆プレートのための収容範囲を閉鎖して、被覆プレートをこれにより溝内で保持する。さらに、差込プレートは、扉のねじれに対して剛性を与える。カバー成形部の簡単な取り付けは、例えば、垂直方向の枠成形部は、支持面を有しており、支持面内には、少なくとも１つの、枠成形部の長手方向に延びる固定溝が形成されており、垂直方向のカバー成形部は、固定溝内に係止される係止ウエブを有していることにより可能になる。
【０００９】
扉の機能性は、水平方向の横支えの少なくとも１つが、収容部を備えた水平方向のカバー成形部を有していて、該収容部内には、表示部材が挿入されているとさらに拡張される。
【００１０】
この場合、有利には、表示部材は、ディスプレイとして構成されており、水平方向のカバー成形部は、ケーブル貫通案内部を有しており、ケーブル貫通案内部は、横支えのケーブル貫通案内部に対して一列に配置されている。ディスプレイの制御は、ケーシングの内側からおこなうことができる。
【００１１】
垂直方向の枠成形部の端面を、表示を保護して配置するために、本発明の可能な実施形においては、横支えは外装片を有していて、外装片は、垂直方向の枠成形部の端面側の端部を被覆している。
【００１２】
垂直方向の枠成形部は、溝が一体的に成形されている押出し成形部として構成することができる。
【００１３】
【実施例】
図1には、扉枠１０を有する扉が図示されている。扉枠１０は、2つの垂直方向の枠成形部１１と2つの水平方向の横支え２０から構成されている。垂直方向の枠成形部１１は、押出し成形部として構成されていてかつ長手方向に延びる溝１４を有している。垂直方向の枠成形部１１は、前側に、支持面１３を有している。支持面１３には、2つの固定溝１２が形成されている。垂直方向の枠成形部１１は、横支え２０により互いに結合されている。横支え２０は、打抜き−曲げ部材として1枚の薄板から形成される。横支え２０は、垂直方向の差込プレート２１を有している。差込プレート２１は、それぞれ円形な開口２５を有している。差込プレート２１の狭幅側の範囲において、それぞれ２つのねじ受容部２４が設けられている。横支え２０の長手方向側の端部に、付加部２２が一体成形されている。付加部２２は、それぞれ２つの差込付加部２３を有している。差込付加部２３は、垂直方向の枠成形部１１の相応する差込受容部に挿入して固定することが出来る。例えば、差込付加部２３は垂直方向の枠成形部１１に締付けて保持することが考えられる。固定受容部は有利には、垂直方向の枠成形部１１に一体的に成形された通路形状の受容室として構成されている。
【００１４】
２つの横支え２０により、図２に図示した扉枠１０が構成されている。図２に示すように、扉枠１０は、被覆プレート３０で塞ぐ充填範囲を取囲んでいる。
【００１５】
図１からわかるように、被覆プレート３０は、その縁部３１により、垂直方向の枠成形部１１の溝１４内へ挿入可能である。図１の被覆プレート３０は、パーホレーション３２を有している。しかしながら例えば図３に示すように、閉じた前面を有する被覆プレート３０を挿入することも考えることが出来る。ここでは、被覆プレート３０としてガラス板が使用されている。被覆プレート３０は、それぞれ充填範囲の高さの４分の１にわたって延びている。これにより、４つの被覆プレート３０が、上下に重なって溝１４内へ挿入することが出来る。この配置により、例えばモジュール構造形式も可能になる。従って、パーホレーション３２を有する被覆プレートと閉じた表面を有する被覆プレートとを互いに組合すことも出来る。広告印刷等を有する被覆プレートも挿入することが出来る。扉を組立てるためには、まず横支え２０を、２つの垂直方向の枠成形部１１に結合する。この場合、差込プレート２１が、垂直方向の枠成形部１１に対応する縁部３１により、溝部１４内に係合する。これにより、溝１４は閉鎖される。続いて、被覆プレート３０が溝１４内へ差し込まれる。この場合、一番下の被覆プレート３０は、下側に組み付けられた横支え２０の差込プレート２０に当接する。充填範囲に、被覆プレート３０が取り付けられると、上側の横支え２０を取り付けられる。この場合、さらに差込プレート２１が溝１４内へ係合して、被覆プレート３０の外れを防止する。
【００１６】
図１からわかるように、扉枠１０は、前側に載置された水平方向及び垂直方向のカバー成形部４０，５０により被覆することが出来る。水平方向のカバー成形部４０は、この場合、横支え２０の差込プレート２１上に載置されている。差込プレート２１のねじ受容部２４を貫通してかつ水平方向のカバー成形部の相応するねじ受容部２４にねじ込まれる固定ねじにより、水平方向のカバー成形部４０の確実な固定が保証される。固定ねじは、しかし扉の後側から接近するので、マニュピューレタによる係合は不可能である。上側の横支え１４は、表示部材４２、この場合、ディスプレイを挿入することができる収容部４１を有している。収容部４１内に広告支持体を組み込むことを考えられる。ディスプレイは、給電導線により作動される。給電導線は、横支え２０の開口２５を介して、扉の後側へ案内されて、この場合、回路ボックス―内室において配線される。
【００１７】
垂直方向の枠成形部５０は、垂直方向の枠成形部１１に面した後側に、２つの係止ウエブ５３を有している。これらの係止ウエブ５３は、垂直方向の枠成形部１１の固定溝１２内に係止される。垂直方向の枠成形部１１の長手方向側は、垂直方向のカバー成形部５０に一体成形されている表示条片５１，５２により被覆される。
【図面の簡単な説明】
【図１】図１は、扉の分解斜視図である。
【図２】図２は、図１で示した扉の扉枠の斜視図である。
【図３】図３は、2つの被覆プレートを有する、図２で示した扉の斜視図である。
【図４】図４は、図1に示した扉の組立図である。
【符号の説明】
１０  扉枠
１１  垂直方向の枠成形部
１２  固定溝
１３  支持面
２０  水平方向の横支え
２１  差込プレート
２２  付加部
２３  差込付加部
２４  ねじ受容部
２５  開口
３０  被覆プレート
３１  縁部
３２  穴
４０  カバー成形部
４１  収容部
４２  表示部材
５１、５２  表示条片
５３  係止ウエブ
【図１】
0004495373.tif 000002
【図２】
0004495373.tif 000003
【図３】
0004495373.tif 000004
【図４】
0004495373.tif 000005